(57)【特許請求の範囲】
【請求項１】
アプリケーションが実行された場合にサーバから広告を受信し、前記アプリケーション実行画面上に表示する端末装置において、
前記表示した広告の選択を検出し、その検出した広告の情報を記憶する広告情報記憶手段と、
前記広告情報記憶手段に前記広告の情報を記憶した後に、前記アプリケーションが実行された場合に、前記広告情報記憶手段に記憶されている広告の情報を読み出し、前記アプリケーション実行画面上に表示させる広告表示制御手段と、を有することを特徴とする端末装置。
【請求項２】
前記広告表示制御手段は、アプリケーションが実行された場合に、前記広告情報記憶手段に広告の情報が記憶されていないとき、サーバから広告を受信し、前記アプリケーション実行画面上に表示することを特徴とする請求項１記載の端末装置。
【請求項３】
前記記憶された広告を一覧表示して前記アプリケーション実行画面上に表示させる広告選択肢提示手段を備えることを特徴とする請求項１記載の端末装置。
【請求項４】
前記広告表示制御手段は、前記一覧表示される広告のうち、選択された広告の情報を前記広告情報記憶手段から読み出し、前記アプリケーション実行画面上に表示させることを特徴とする請求項３記載の端末装置。
【請求項５】
前記広告は、バナー広告であることを特徴とする請求項１乃至４いずれか記載の端末装置。
【請求項６】
アプリケーションが実行された場合にサーバから広告を受信し、前記アプリケーション実行画面上に表示する端末装置に対して情報を配信する情報配信方法において、
ユーザの端末装置操作により選択された広告を検出し、その検出した広告の情報を前記端末装置に記憶させる広告情報記憶制御ステップと、
前記広告情報記憶制御ステップの後に、前記端末装置上の前記アプリケーションが実行された場合に、前記広告情報記憶制御ステップで記憶された広告の情報を読み出し、前記アプリケーション実行画面上に表示させる広告表示制御ステップと、を有することを特徴とする情報配信方法。
【請求項７】
アプリケーションが実行された場合にサーバから広告を受信し、前記アプリケーション実行画面上に前記広告を表示する端末装置としてのコンピュータを、
サーバから受信した広告の選択を検出し、その検出した広告の情報を記憶する広告情報記憶手段、
前記広告情報記憶手段に前記広告の情報を記憶した後に、前記アプリケーションが実行された場合に、前記広告情報記憶処理で記憶した広告の情報を読み出し、前記アプリケーション実行画面上に表示させる広告表示制御手段、
として機能させることを特徴とする端末用広告表示制御プログラム。
【請求項８】
アプリケーションが実行された場合にサーバから広告を受信し、前記アプリケーション実行画面上に表示する端末装置に対して情報を配信する情報配信装置において、
前記広告を表示する端末装置としてのコンピュータを、
サーバから受信した広告の選択を検出し、その検出した広告の情報を記憶する広告情報記憶手段、
前記広告情報記憶手段に前記広告の情報を記憶した後に、前記アプリケーションが実行された場合に、前記広告情報記憶処理で記憶した広告の情報を読み出し、前記アプリケーション実行画面上に表示させる広告表示制御手段、
として機能させる広告表示制御プログラムを、端末装置に対して送信する広告表示制御プログラム送信手段を有することを特徴とする情報配信装置。
【発明の詳細な説明】
【技術分野】
【０００１】
本発明は、携帯端末において広告を表示する技術に関する。
【背景技術】
【０００２】
近時、携帯電話やスマートフォンといった携帯端末の普及に伴い、各種の機能（例えばスケジュール管理ツールや動画視聴ツールなど）を携帯端末に実装することができるアプリケーションプログラムや、動画や記事等のコンテンツプログラム（以下、これらを含めてアプリケーション等）の配信を行うサービスが普及している。
【０００３】
このようなサービスの普及に伴い、アプリケーション等の開発者が開発にかかるコストを軽減するため、広告主から広告及び広告費を募り、配信するアプリケーション等に広告を付属させることで、広告費が還元されるようにしたビジネスモデルを実現するシステムが提案されている（例えば、特許文献１参照）。このようなシステムによると、アプリケーション等を実行する携帯端末のディスプレイ上に広告（例えば、バナー広告）が表示されるようになる一方で、携帯端末のユーザは、配信されるアプリケーション等を、無料或いは比較的安価で利用することができるようになる。
【０００４】
このような、携帯端末において広告を表示する手法に関しては、各種の工夫が提案されている。例えば、アプリケーション等の実行に伴い、サーバからのデータ取得が発生した場合の待機時間に、ディスプレイ上に広告を表示させるようにしたものが提案されている（例えば、特許文献２参照）。この手法によれば、アプリケーション等の実行中の表示を妨げることなく、広告を表示することができる。
【先行技術文献】
【特許文献】
【０００５】
【特許文献１】特開２００２−１９０８６７号公報
【特許文献２】特開２００４−００６２４９号公報
【発明の概要】
【発明が解決しようとする課題】
【０００６】
特許文献２に記載の手法によると、データ取得中の待機時間に広告が表示されることになるが、最近の携帯端末の高機能化や通信環境の向上に伴い、待機時間が短縮化する傾向にあり、広告を表示する時間として適切でない、という問題がある。
【０００７】
本発明は、アプリケーション等の実行に伴い表示される広告の閲覧タイミングの選択機会を増やしつつ、広告の訴求効果の向上を図ることを目的とする。
【課題を解決するための手段】
【０００８】
上記の課題を解決するため、本発明にあっては、請求項１に記載されるように、アプリケーションが実行された場合にサーバから広告を受信し、前記アプリケーション実行画面上に表示する端末装置において、前記表示した広告の選択を検出し、その検出した広告の情報を記憶する広告情報記憶手段と、前記広告情報記憶手段に前記広告の情報を記憶した後に、前記アプリケーションが実行された場合に、前記広告情報記憶手段に記憶されている広告の情報を読み出し、前記アプリケーション実行画面上に表示させる広告表示制御手段と、を有することを特徴とする端末装置を要旨としている。
【０００９】
請求項２に記載されるように、請求項１記載の端末装置において、前記広告表示制御手段は、アプリケーションが実行された場合に、前記広告情報記憶手段に広告の情報が記憶されていないとき、サーバから広告を受信し、前記アプリケーション実行画面上に表示することを特徴とする。
【００１０】
請求項３に記載されるように、請求項１記載の端末装置において、前記記憶された広告を一覧表示して前記アプリケーション実行画面上に表示させる広告選択肢提示手段を備えることを特徴とする。
【００１１】
請求項４に記載されるように、請求項３記載の端末装置において、前記広告表示制御手段は、前記一覧表示される広告のうち、選択された広告の情報を前記広告情報記憶手段から読み出し、前記アプリケーション実行画面上に表示させることを特徴とする。
【００１２】
請求項５に記載されるように、請求項１乃至４いずれか記載の端末装置において、前記広告は、バナー広告であることを特徴とする。
【００１３】
請求項６に記載されるように、アプリケーションが実行された場合にサーバから広告を受信し、前記アプリケーション実行画面上に表示する端末装置に対して情報を配信する情報配信方法において、ユーザの端末装置操作により選択された広告を検出し、その検出した広告の情報を前記端末装置に記憶させる広告情報記憶制御ステップと、前記広告情報記憶制御ステップの後に、前記端末装置上の前記アプリケーションが実行された場合に、前記広告情報記憶制御ステップで記憶された広告の情報を読み出し、前記アプリケーション実行画面上に表示させる広告表示制御ステップと、を有することを特徴とする情報配信方法を要旨としている。
【００１４】
請求項７に記載されるように、アプリケーションが実行された場合にサーバから広告を受信し、前記アプリケーション実行画面上に前記広告を表示する端末装置としてのコンピュータを、サーバから受信した広告の選択を検出し、その検出した広告の情報を記憶する広告情報記憶手段、前記広告情報記憶手段に前記広告の情報を記憶した後に、前記アプリケーションが実行された場合に、前記広告情報記憶処理で記憶した広告の情報を読み出し、前記アプリケーション実行画面上に表示させる広告表示制御手段、として機能させることを特徴とする端末用広告表示制御プログラムを要旨としている。
【００１５】
請求項８に記載されるように、アプリケーションが実行された場合にサーバから広告を受信し、前記アプリケーション実行画面上に表示する端末装置に対して情報を配信する情報配信装置において、前記広告を表示する端末装置としてのコンピュータを、サーバから受信した広告の選択を検出し、その検出した広告の情報を記憶する広告情報記憶手段、前記広告情報記憶手段に前記広告の情報を記憶した後に、前記アプリケーションが実行された場合に、前記広告情報記憶処理で記憶した広告の情報を読み出し、前記アプリケーション実行画面上に表示させる広告表示制御手段、として機能させる広告表示制御プログラムを、端末装置に対して送信する広告表示制御プログラム送信手段を有することを特徴とする情報配信装置を要旨としている。
【発明の効果】
【００１６】
以上のように、本発明によれば、１回目に起動したアプリケーションにおける広告の表示時間が短くても、上記広告を記憶しておき、２回目にアプリケーションを起動した際に再度その広告をアプリケーション実行画面上に表示し、広告の閲覧を促すので、１度忘れてしまった広告を思い出させるというリマインド効果が得られる。すなわち、ユーザが目にする広告の閲覧機会の確保が可能となり、広告の訴求効果の向上を図ることができる。
【図面の簡単な説明】
【００１７】
【図１】本発明の実施形態にかかる情報配信システムの構成例を示す図である。
【図２】本発明の第一の実施形態にかかる情報配信システムの構成例を示す図である。
【図３】本発明の第一の実施形態にかかる広告データベースのデータ格納例を示す図である。
【図４】本発明の第一の実施形態にかかる携帯端末における広告情報記憶部のデータ格納例を示す図である。
【図５】本発明の第一の実施形態にかかる携帯端末での処理例を示すフローチャートである。
【図６】本発明の第一の実施形態にかかる携帯端末での表示画面遷移例を示す図である。
【図７】本発明の第二の実施形態にかかる携帯端末での処理例を示すフローチャートである。
【図８】本発明の第二の実施形態にかかる携帯端末での表示画面遷移例を示す図である。
【図９】本発明の第三の実施形態にかかる情報配信システムの構成例を示す図である。
【図１０】本発明の第三の実施形態にかかる広告制御プログラムの構成例を示す図である。
【図１１】本発明の第三の実施形態にかかる広告制御プログラム提供処理例を示すシーケンス図である。
【発明を実施するための形態】
【００１８】
以下、本発明の実施形態について図を参照しながら説明する。
＜第一の実施形態＞
図１は本発明の第一の実施形態にかかる情報配信システムの一例を示す図である。
【００１９】
図１に示すように、本発明の第一の実施形態にかかる情報配信システム１は、ネットワーク（インターネット）１０を介して接続されるアプリケーション配信サーバ２０と、アプリケーション開発端末３０と、広告管理サーバ４０と、広告データベース（以下、広告ＤＢという）５０と、広告主端末６０と、携帯端末７０と、から構成される。
【００２０】
アプリケーション配信サーバ２０は、例えば、携帯端末７０からのアクセスに基づき、アプリケーションプログラムやアプリケーションに属する情報等を上記携帯端末７０に送信する情報配信装置であって、アプリケーション開発端末３０によって作成されるアプリケーションプログラムを取得（例：アップロード）し格納する。広告管理サーバ４０は、広告主端末６０によって、入稿される広告、本例では、バナー広告を取得し、広告ＤＢ５０に記憶させる。携帯端末７０は、基地局（本例では、図示省略）と接続されるネットワーク１０を介してアプリケーション配信サーバ２０より、アプリケーションを取得（例：ダウンロード）し、その取得したアプリケーションプログラムを内部に保存し実行する。
【００２１】
携帯端末７０は、アプリケーション実行の際、広告管理サーバ４０より送信されるバナー広告を記憶し、次のアプリケーション実行の際に、その記憶された広告を再表示させユーザにリマインドする処理を行う。
【００２２】
また、本実施形態に係わる携帯端末７０は、例えば、携帯電話、ＰＤＡ、スマートフォン、通信機能を備えた電子書籍端末等であって、ブラウザを備える。ブラウザは、インターネットの標準プロトコルであるＨＴＴＰ（Hyper  Text  Transfer  Protocol）等に従い、ＨＴＭＬ（Hyper  Text  Markup  Language）等の言語で記述されたページデータの要求、取得及び表示、フォームデータの送信等を行う機能を有している。
【００２３】
図２は、本発明の第一の実施形態にかかる情報配信システム１の機能ブロック構成例を示す図である。同図において、携帯端末７０は、広告管理サーバ４０から送信されるバナー広告を受信する広告受信部７１と、受信したバナー広告の情報をユーザの選択操作（例：バナー広告のクリック）に基づき記憶する広告情報記憶部７２と、アプリケーションの実行開始を検出し、所定のタイミングで上記記憶された広告を読み出し、アプリケーション実行画面上にバナー広告を再表示させる制御を行う広告表示制御部７３と、該広告表示制御部７３から出力される広告の情報を表示する表示部７４と、から構成される。
【００２４】
同図において、広告管理サーバ４０は、広告主端末６０によって、入稿されるバナー広告を取得する広告取得部４１と、その取得したバナー広告を広告ＤＢ５０に記憶させるための書き込み処理や読み出し処理を行うＤＢアクセス制御部４２と、広告ＤＢ５０に記憶されるバナー広告を携帯端末７０に送信する広告送信部４３と、から構成される。
【００２５】
図３は、本発明の第一の実施形態にかかる広告ＤＢ５０におけるデータ格納例を示す図であり、アプリケーション内に表示されるバナー広告を示す「広告」フィールドと、バナー広告のリンク先となるアドレスを示す「アドレス」フィールドと、アプリケーションを識別するための識別子を示す「アプリ識別子」フィールドと、を含んで構成される。アプリ識別子と広告が対応付けられ、１レコードとして記憶される。広告ＤＢ５０に記憶されるバナー広告のデータは、広告主端末６０から入稿される。例えば、広告主が広告Ａをアプリケーション０００１に表示させたいような場合、広告ＤＢ５０のレコードａのように広告Ａのデータが記憶される。
【００２６】
図４は、本発明の第一の実施形態にかかる携帯端末７０の広告情報記憶部７２におけるデータ格納例を示す図であり、ユーザにより選択操作のなされたバナー広告を示す「広告」フィールドと、その広告のリンク先となるアドレスを示す「アドレス」フィールドと、を含んで構成される。
【００２７】
図５は、本発明の第一の実施形態にかかる携帯端末７０での第一処理例を示すフローチャートである。
携帯端末７０の広告受信部７１は、携帯端末７０上のアプリケーションの検出（ステップＳ１１でＹＥＳ）を契機にして広告管理サーバ４０から送信されるバナー広告（本例では、バナー広告Ａとする）を受信する（ステップＳ１２）。広告表示制御部７３は、受信したバナー広告Ａのデータを表示部７４に出力して携帯端末７０の画面上に表示させる（ステップＳ１３）。このときの携帯端末７０画面上のバナー広告Ａの表示例を図６のａに示す。同図に示すように、第１回目のアプリケーション起動時にバナー広告Ａが携帯端末７０画面に表示される。
【００２８】
ユーザによって上記バナー広告Ａがクリックされると、広告表示制御部７３は、当該バナー広告Ａの選択を検出し、広告情報記憶部７２に記憶させる（ステップＳ１４）。このとき、本態様では、バナー広告Ａが記憶されるのみで、バナー広告Ａへのページ遷移はしない。ユーザの操作によって、アプリケーションの実行が終了した後、広告表示制御部７３は、新たにアプリケーションの実行が開始されたか否かを判定し（ステップＳ１５）、この判定で、アプリケーションの実行が検出された場合（ステップＳ１５でＹＥＳ）、広告情報記憶部７２に記憶されているバナー広告Ａのデータを読み出し（ステップＳ１６）、アプリケーション実行画面上に上記バナー広告Ａを表示させるためのバナー広告Ａのデータを表示部７４に出力する。
【００２９】
表示部７４は、広告表示制御部７３から受信したバナー広告Ａのデータに対応したバナー広告Ａを表示する（ステップＳ１７）。このときの携帯端末７０画面上のバナー広告Ａの表示例を図６のｂに示す。同図に示すように、第２回目のアプリケーション起動時、バナー広告Ａが携帯端末７０の画面上に表示される。そして、ユーザによって上記バナー広告Ａがクリックされると、バナー広告Ａのリンク先にページ遷移して広告が表示（ステップＳ１８）される（図６のｃ参照）。
【００３０】
上述したように、本実施形態では、１回目に起動したアプリケーションにおける広告の表示時間が短くても、上記広告を記憶しておき、２回目にアプリケーションを起動した際に再度その広告をアプリケーション実行画面上に表示し、広告の閲覧を促すので、１度忘れてしまった広告を思い出させるというリマインド効果が得られる。すなわち、ユーザが目にする広告の閲覧機会の確保が可能となり、広告の訴求効果の向上を図ることができる。
【００３１】
また、広告の選択が行われた場合、直ちに広告ページに遷移せずに記憶され、後に再選択の機会が与えられるようになることから、アプリケーションが実行されているディスプレイ面積を有効に活用することができる。また、広告情報記憶部７２に広告が記憶されていない初期状態等の場合は、広告管理サーバ４０から広告を受信し、アプリケーション起動時に上記広告が表示される。さらに、記憶された広告と共に、広告管理サーバ４０から受信した広告を表示してもよい。
【００３２】
＜第二の実施形態＞
図７は、本発明の第二の実施形態にかかる携帯端末７０での処理例を示すフローチャートである。本実施形態では、アプリケーションの実行毎に検出されたバナー広告が広告情報記憶部７２に記憶される。例えば、複数のバナー広告が、逐次的に記憶されていく。そして、アプリケーションの実行が所定回数に達したときに、上記複数のバナー広告をリスト表示させ、ユーザに好みの広告の選択機会を与えるという態様である。以下、図７の処理フローを用いて説明する。
【００３３】
同図において、ステップＳ１１〜Ｓ１４までの処理は図５に示す処理と同様であるのでその説明は省略する。ステップＳ２１において、アプリケーションの実行がｎ回に達したか否かが判定され、ｎ回に達するまで、アプリケーション実行毎に表示されるバナー広告が広告情報記憶部７２に記憶される。アプリケーションの実行がｎ回に達したと判定された場合（ステップＳ２１でＹＥＳ）、広告表示制御部７３は、広告情報記憶部７２に記憶されているバナー広告（ｎ個のバナー広告）を読み出し、ｎ回目のアプリケーション実行画面上にｎ個のバナー広告をリスト表示する（ステップＳ２２）。例えば、図８のａに示すようにリスト表示（一覧表示）される。そして、そのリスト表示された複数のバナー広告の中から、ユーザによって例えば、バナー広告Ｂがクリックされると、バナー広告Ｂのリンク先にページ遷移（ステップＳ２３）してバナー広告Ｂの広告が表示される（図８のｂ参照）。
【００３４】
上述したように、本実施形態では、複数のバナー広告が一覧というリストの形態で携帯端末７０のアプリケーション実行画面上に表示されるので、ユーザにバナー広告の選択の機会が与えられ、極めて簡単な操作（クリック）で所望のバナー広告を選択することが可能となる。また、リスト表示された広告は、限られた携帯端末７０のメモリリソースを軽減するという観点から、例えば、以下の条件のいずれかを満たしたときに広告情報記憶部７２から消去される。
・所定時間経過
・広告の閲覧事実があったとき（広告がクリックされたとき）
・一覧リストを所定回数提示したとき
上記条件に基づく広告情報の消去判断は、広告表示制御部７２でなされ、同部７２に判断基準を予め設定しておけばよい。なお、上記の判断方法以外の方法であってもかまわない。
【００３５】
＜第三の実施形態＞
上記第一の実施形態及び第二の実施形態は、上述した機能が予め携帯端末７０に備えられている場合（上述した機能が携帯端末７０にプリインストールされている場合）を例にとり、説明したが、例えば、上述した機能をプログラム（以下、広告表示制御プログラム）としてダウンロードして利用するような形態であっても勿論よい。
【００３６】
図９は、携帯端末７０が広告表示制御プログラムをダウンロードする態様を示す情報配信システム１の機能ブロック構成例を示す図である。
【００３７】
ここでは、図２に示す情報配信システム１と異なる機能部分について説明する。図９において、携帯端末７０は、アプリケーション配信サーバ２０に対して広告表示制御プログラムの送信を要求する広告表示制御プログラム送信要求部７５と、アプリケーション配信サーバか２０ら送信される広告表示制御プログラムを受信し保持する広告表示制御プログラム保持部７６と、その保持される広告表示制御プログラムを実行する広告表示制御プログラム実行部７７と、を備える。
【００３８】
アプリケーション配信サーバ２０は、広告表示制御プログラム格納部２１と、携帯端末７０からの広告表示制御プログラムの送信要求を受け付け、携帯端末７０ユーザの認証を行う広告表示制御プログラム要求受付・認証部２２と、ユーザ認証後に広告表示制御プログラムを携帯端末７０に送信する広告表示制御プログラム送信部２３と、を備える。
【００３９】
上記広告表示制御プログラム格納部２１に格納される広告表示制御プログラムの構成は、例えば、図１０に示すように構成され、バナー広告選択検出プログラム１０１、バナー広告記憶制御プログラム１０２、バナー広告表示制御プログラム１０３、表示部Ｉ／Ｆプログラム１０４とから構成される。
【００４０】
バナー広告選択検出プログラム１０１、バナー広告記憶制御プログラム１０２は、図５に示すステップＳ１４の処理に相当し、バナー広告表示制御プログラム１０３は、ステップＳ１５〜Ｓ１７の処理に相当し、表示部Ｉ／Ｆプログラム１０４は、ステップＳ１８の処理に相当する。
【００４１】
次に、図１１のシーケンス図を参照して、携帯端末７０が広告表示制御プログラムをアプリケーション配信サーバ２０からダウンロードする態様を説明する。
【００４２】
同図において、携帯端末７０の広告表示制御プログラム要求送信部７５より、任意のタイミングで広告制御プログラムの送信要求がアプリケーション配信サーバ２０に対して送信される（ステップＳ７１）。アプリケーション配信サーバ２０の広告表示制御プログラム要求受付・認証部２１は、広告表示制御プログラムの送信要求を受け付けると、携帯端末７０のＩＤ等の識別情報に基づいて、ユーザ認証を行う（ステップＳ７２）。ユーザ認証で、ユーザの正当性が確認された後、広告表示制御プログラム送信部２２は、広告制御表示プログラムを携帯端末７０に送信する（ステップＳ７３）。
【００４３】
携帯端末７０の広告表示制御プログラム保持部７６は、上記のようにしてアプリケーション配信サーバ２０から送信される広告表示制御プログラムを受信しメモリ等に格納する（ステップＳ７９）。その後、携帯端末７０ユーザにより、任意のタイミングで広告制御プログラムの起動操作（例えば、図示省略する操作入力手段として用いられるキー操作、あるいはタッチスクリーン等に表示されるアプリケーション起動アイコンのクリック等）がなされると、広告表示制御プログラム実行部７７は、上記操作を検出し、広告表示制御プログラムを起動、実行する（ステップＳ８０）。
【００４４】
上述したように、本実施形態では、携帯端末７０は、広告表示制御プログラムをネットワーク上のアプリケーション配信サーバ２０からダウンロードすることにより取得することとしている。すなわち、上記広告表示制御プログラムが携帯端末７０に予め格納されていなくてもよい（プリインストールされていないものがあってもよい）。また、メモリカードまたはカートリッジといった着脱自在の記憶媒体から携帯端末７０の内部メモリに上記広告表示制御プログラムが読み込まれるような態様であってもよい。
【００４５】
また、アプリケーション開発者は、広告管理サーバ４０により提供されるＳＤＫ(Software  Development  Kit:ソフトウェア開発キット)を開発したアプリケーションに組み込むことで、アプリケーション内に広告管理サーバ４０から配信される広告を表示することができるようになる。
【００４６】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【００４７】
１      情報配信システム
１０    ネットワーク
２０    アプリケーション配信サーバ
２１    広告表示制御プログラム格納部
２２    広告表示制御プログラム要求受付・認証部
２３    広告表示制御プログラム送信部
３０    アプリケーション開発端末
４０    広告管理サーバ
４１    広告取得部
４２    ＤＢアクセス制御部
４３    広告送信部
５０    広告ＤＢ
６０    広告主端末
７０    携帯端末
７１    広告受信部
７２    広告情報記憶部
７３    広告表示制御部
７４    表示部
７５    広告表示制御プログラム要求送信部
７６    広告表示制御プログラム保持部
７７    広告表示制御プログラム実行部
【図１】
0005194064.tif 000002
【図２】
0005194064.tif 000003
【図３】
0005194064.tif 000004
【図４】
0005194064.tif 000005
【図５】
0005194064.tif 000006
【図６】
0005194064.tif 000007
【図７】
0005194064.tif 000008
【図８】
0005194064.tif 000009
【図９】
0005194064.tif 000010
【図１０】
0005194064.tif 000011
【図１１】
0005194064.tif 000012